(57)【要約】【課題】本発明は、省スペースで任意に遮蔽板が取り付け可能であるキャビネットを提供することを目的としている。【解決手段】本発明に係るキャビネット１は、フード４には、フード４をキャビネット１に取り付けるための取り付け穴６を設けると共に、キャビネット１への日光を遮るための遮蔽板５を取り付けるための取り付け孔１０を設けることを特徴とし、キャビネット１には遮蔽板５を取り付けるための穴を設けず、キャビネット１を他の用途にも使用可能とした。【選択図】図１
2007032967.tif 000002
【特許請求の範囲】
【請求項１】
本体の側面に換気のためのファンと、該ファンを被覆するフードとを設けた各種機器を収納するキャビネットにおいて、前記フードには、該フードを前記キャビネットに取り付けるための取り付け穴を設けると共に、前記キャビネットへの日光を遮るための遮蔽板を取り付けるための取り付け孔を設けることを特徴とするキャビネット。
【請求項２】
前記キャビネットにおいて、前記フードには、前記ファンを固定するための固定穴と前記ファンの電源コードのための通線孔とを設け、前記ファンを前記本体外側に取り付け、前記遮蔽板が前記キャビネットに取り付けられる場合には、前記ファンを前記キャビネットと前記遮蔽板との間に設置することを特徴とする請求項１に記載のキャビネット。
【発明の詳細な説明】
【技術分野】
【０００１】
本発明は、本体の側面に排気のためのファンと、ファンを被覆するルーバーフードとを設けた各種機器を収納するキャビネットに関する。
【背景技術】
【０００２】
従来は、キャビネット３１の外側にフィルター付のルーバー３２を設け、ルーバー３２からの雨水の浸入を防止するため、ルーバー３２をルーバーフード３３で被覆していた。ルーバー３２は固定部品３４によりキャビネット３１に固定される。ルーバー３２と固定部品３４は、それぞれ互いにねじ機構を有し、キャビネット３１の外側からルーバー３２を当て、内側から固定部品３４を締め付け固定していた。ルーバーフード３３はルーバー３２に取り付け溝３５が形成されており、この取り付け溝３５に係合させて取り付けていた。
【０００３】
また、ルーバー３２に換気用のファン３６を用いる場合には、キャビネット３１の内側に取り付けていた。ルーバー３２の固定部品３４にねじ穴３７を設け、ファン３６をねじ止めしていた。
【０００４】
また、キャビネット３１の設置場所によってキャビネット３１の外側に遮蔽板を取り付けるがその場合には、キャビネット本体に取り付け穴を設け、遮蔽板は直接本体に取り付けていた。
【特許文献１】特開２００２−３４０３８０号公報
【発明の開示】
【発明が解決しようとする課題】
【０００５】
しかしながら、上記従来によると、ルーバー、ルーバーフード、ファン、遮蔽板はそれぞれ取り付け機構を設けていた。特に、遮蔽板の取り付け穴はキャビネットの本体に設けられるため、取り付け穴を設けたものは遮蔽板を取り付ける専用のキャビネットになり、品種の管理が煩雑であった。
【０００６】
また、ファンがキャビネットの内部にあるため、キャビネット内部のスペースが制限され、他の機器を取り付ける作業の邪魔になっていた。また、ファンがキャビネットの内部にあるためファンの振動がキャビネットに伝わりやすく、騒音を拡張させてしまうことがあった。
【課題を解決するための手段】
【０００７】
そこで本発明は、省スペースで任意に遮蔽板が取り付け可能であるキャビネットを提供することを目的とし、その構造は、フードには、フードをキャビネットに取り付けるための取り付け穴を設けると共に、キャビネットへの日光を遮るための遮蔽板を取り付けるための取り付け孔を設けることを特徴とする。
【０００８】
また、フードには、ファンを固定するための固定穴とファンの電源コードのための通線孔とを設け、ファンを本体外側に取り付け、遮蔽板がキャビネットに取り付けられる場合には、ファンをキャビネットと遮蔽板との間に設置することを特徴とする。
【発明の効果】
【０００９】
本発明に係るキャビネットは、フードには、フードをキャビネットに取り付けるための取り付け穴を設けると共に、キャビネットへの日光を遮るための遮蔽板を取り付けるための取り付け孔を設けるため、キャビネットの設置場所により遮蔽板を取り付ける場合にも容易に対応可能である。ファンと、ルーバーとの取り付け穴も兼用でき、穴加工の手間が省けると共に、作業の手間も低減できる。
【００１０】
また、フードには、ファンを固定するための固定穴とファンの電源コードのための通線孔とを設け、ファンを本体外側に取り付け、遮蔽板がキャビネットに取り付けられる場合には、ファンをキャビネットと遮蔽板との間に設置するため、キャビネット内に排気ファンの出っ張りがなく施工の邪魔にならない。キャビネットに排気ファンを直接取り付けないので、キャビネットの共振による騒音の拡大を低減できる。
【発明を実施するための最良の形態】
【００１１】
製作コストを抑え施工を楽にするキャビネットを提供するという目的を、最小の部品点数で、キャビネットに設けられるルーバーやファン、遮蔽板の取り付け用の穴を兼用することで実現した。
【実施例１】
【００１２】
本発明に係るキャビネットの実施例１を図１〜図３の添付図面に基づいて説明する。
【００１３】
キャビネット１の側面部には換気用の開口２を設ける。開口２近傍には、取り付け穴３を設ける。開口２からキャビネット１内部へ雨水等が浸入しないように、フード４が取り付けられる。また、キャビネット１にはキャビネットの１の設置場所によっては、日光を遮るための遮蔽板５を取り付けることがある。フード４には、フード４をキャビネット１に取り付けるための取り付け穴６を設ける。
【００１４】
開口２には、フィルタ７を装着したフィルタカバー８をキャビネット１の内側から、フード４をキャビネット１の外側から当て、キャビネット１に設けられた取り付け穴３とフード４に設けられた取り付け穴６にねじ９を挿通し、フィルタカバー８とフード４とを共締めして固定する。
【００１５】
また、フード４には取り付け孔１０を設ける。キャビネット１が日当たりのよい場所に設置され、キャビネット内部の温度が上昇し、キャビネット１に収納されている機器に不具合を来たす虞があるときに、キャビネット１の外側に遮蔽板５を取り付け日光を遮る。遮蔽板５を取り付けるには、フード４に設けられた取り付け孔１０を用いてねじ止めする。
【００１６】
キャビネット１の開口２で自然換気を行い、遮蔽板５により温度上昇を抑えることができる。
【実施例２】
【００１７】
本発明に係るキャビネットの実施例２を図１〜図４の添付図面に基づいて説明する。
【００１８】
開口２にファン１１を取り付けて、強制換気を行うこともできる。ファン１１に雨水がかからず、またキャビネット１の内部へ雨水が浸入しないようにフード４を取り付け、ファン１１を被覆する。キャビネット１の側面に設けられたフード４には、ファン１１を固定するための固定穴１２と、ファン１１の電源コード１３のための通線孔１４とを設ける。キャビネット１の開口２で自然換気を行うだけでは温度上昇が抑制できない場合には、ファン１１を取り付けて強制換気する。ファン１１は、キャビネット１の外側に、フード４に設けられた固定穴１２にねじ１５で固定し取り付ける。ファン１１の電源コード１３はフード４に設けた通線孔１４に挿通し、キャビネット１内に引き込む。
【００１９】
また、実施例１に示したように、フード４には取り付け孔１０を設ける。キャビネット１を日当たりのよい場所に設置し、キャビネット１内部の温度が上昇し、キャビネット１に収納されている機器に不具合を来たす虞があるときに、キャビネット１の外側に遮蔽板５を取り付け日光を遮る。遮蔽板５を取り付けるには、フード４の取り付け孔１０を用いてねじ止めする。
【産業上の利用可能性】
【００２０】
フードは遮蔽板で施蓋されるので、雨水が多くかかることは少なく、フードにルーバーを設けることもできる。
【図面の簡単な説明】
【００２１】
【図１】本発明に係るキャビネットのフード近傍を示す説明図である。（実施例１、実施例２）
【図２】本発明にかかるキャビネットの側面開口を示す説明図である。（実施例１、実施例２）
【図３】図２の側面開口にフードを取り付けた状態を示す説明図である。（実施例１、実施例２）
【図４】図３にファンをを取り付けた状態を示す説明図である。（実施例２）
【図５】従来のキャビネットにルーバーとファンを取り付けた状態を示す説明図である。
【図６】図５にルーバーフードと取り付けた状態を示す説明図である。
【符号の説明】
【００２２】
１    キャビネット
２    開口
３    取り付け穴
４    フード
５    遮蔽板
６    取り付け穴
７    フィルタ
８    フィルタカバー
９    ねじ
１０  取り付け孔
１１  ファン
１２  固定穴
１３  電源コード
１４  通線孔
１５  ねじ
【図１】
2007032967.tif 000003
【図２】
2007032967.tif 000004
【図３】
2007032967.tif 000005
【図４】
2007032967.tif 000006
【図５】
2007032967.tif 000007
【図６】
2007032967.tif 000008